Podtech/llm-jp-corpus-v4-ja_patent huggingface dataset:
(57)【要約】      （修正有）【課題】透明なアクリル板で作成した水槽内に氷水を入れ、その中に配したコイル状の銅管内を通すことによって、短い時間で常温のお酒を冷やし冷酒に出来る簡易型冷酒サーバーを提供する。【解決手段】水槽構造３内に氷水を入れておく。上部そそぎ口１に常温のお酒をそそぐ。常温のお酒は水槽構造内に配置したコイル状銅管２内を通ることで氷水とほぼ同じ温度に瞬時に冷却され、取出し口５から冷酒として供される。注ぎ口の栓の太さを変えることでお酒の流入量を調節し、冷酒の温度を微調整出来ること、また、銅管などを配した内部構造は取り出すことが出来、掃除やメンテナンスが容易であることが好ましい。【選択図】図１
0003196816.tif 000002
【実用新案登録請求の範囲】
【請求項１】
氷水を入れた水槽内にコイル状の銅管を配し、この銅管内を通すことにより常温のお酒を簡単にかつ短い時間で冷酒として飲みごろの温度にして供することが出来ます。
【請求項２】
この冷酒サーバーは透明のアクリル板で作成しているため、銅管などの
内部構造が見えアピール度、話題性から集客増をも期待出来る。
【請求項３】
注ぎ口の栓の太さを変えることでお酒の流入量を調節し、銅管内に留まる時間の長さで、冷酒の温度を微調整することが出来る。
【請求項４】
銅管などを配した内部構造は取り出すことが出来、掃除やメンテナンスが容易です。
【考案の詳細な説明】
【技術分野】
【０００１】
本考案は、日本酒を瞬時にかつ効率的に冷やすための道具である。また、その都度冷やすことが出来るため、多銘柄のお酒の提供にも便利である。
【０００２】
冷酒を提供するためには予め一升瓶ごと冷蔵する必要があり、多銘柄を供するには大きな冷蔵庫が必要であった。
【先行技術文献】
【特許文献】
【０００３】
【特許文献１】特開平１１−１３２６１７  広報
【考案の概要】
【考案が解決しようとする課題】
【０００４】
多銘柄の冷酒提供には大きな冷蔵庫が必要であり、購入には経済的負担も大きく、かつ広い店舗スペースが必要であった。
【課題を解決するための手段】
【０００５】
本考案は、少ないスペースと氷さえあれば上記課題を解決することが出来  
る。
【考案の効果】
【０００６】
簡易式冷酒サーバーは、小さな居酒屋でも設置でき多銘柄の冷酒提供を可能にし、電気を使わないため省エネでもある。 
【０００７】
銅管などの内部構造が見えるため、話題性をも提供し顧客増も期待できる。
【０００８】
移動も容易なため、屋外イベント会場などでの利用も可能で蔵元の試飲販売にも威力を発揮する。
【０００９】
構造がシンプルで操作も簡単なため、常連客自身でのセルフ利用も可能である。
【図面の簡単な説明】
【００１０】
【図１】本考察の簡易式冷酒サーバーの側面図である。
【図２】取出し可能な内部構造の側面図である。
【考案を実施するための形態】
【００１１】
簡易式冷酒サーバーは、上部そそぎ口部分１と氷水とコイル状の銅管２を収納する水槽構造部分３、銅管を保持・保護する内部構造４からなる。注ぎ口に注がれた常温のお酒はコイル状の銅管内で冷却され排出口５から酒器やグラスなどに注がれる。
【実施例】
【００１２】
注文を受けた銘柄、量の常温の酒を注ぎ口に注ぐ。そそぎ口には太さの違う栓をすることによりコイル状銅管への流入量を調節し、排出温度の微調整が出来る。
【符号の説明】
【００１３】
１  上部そそぎ口部分
２  熱伝導率の良いコイル状銅管
（注）緑青は毒というのは誤解であったことが化学的に証明されている。
３  水槽構造部分（透明なアクリル板製）
４  内部構造（コイル状銅管を保持・保護、透明なアクリル板製）
５  冷酒取出し口
６  氷水排出口Ａ（氷を追加したとき溢れた水を排水する）
シリコンホースで排水口へ。
７  氷水排出口Ｂ（全体の水を入れ替えるときのみ利用する）
シリコンホースで排水口へ。
【図１】
0003196816.tif 000003
【図２】
0003196816.tif 000004
【手続補正書】
【提出日】平成27年2月3日(2015.2.3)
【手続補正１】
【補正対象書類名】実用新案登録請求の範囲
【補正対象項目名】全文
【補正方法】変更
【補正の内容】
【実用新案登録請求の範囲】
【請求項１】
氷水を入れた水槽内にコイル状の銅管を配し、この銅管内を通すことにより常温のお酒を簡単にかつ短い時間で冷酒として飲みごろの温度にして供することが出来ることを特徴とする簡易式冷酒サーバーです。
【請求項２】
この冷酒サーバーは透明のアクリル板で作成しているため、銅管などの
内部構造が見えアピール度、話題性から集客増をも期待出来ることを特徴とする請求項１に記載の簡易式冷酒サーバーです。  
【請求項３】
注ぎ口の栓の太さを変えることでお酒の流入量を調節し、銅管内に留まる時間の長さで、冷酒の温度を微調整することが出来ることを特徴とする請求項１に記載の簡易式冷酒サーバーです。
【請求項４】
銅管などを配した内部構造は取り出すことが出来、掃除やメンテナンスが容易であることを特徴とする請求項１に記載の簡易式冷酒サーバーです。
(57)【要約】      （修正有）【課題】ピンを用いた圧入による金属面どうしの結合において結合面のピンを表に見せず仕上げる結合面構造を提供する。【解決手段】パーミルロケットの第１段ロケット４と補助ロケット５を結合する際に主となる第１段ロケット４の胴部曲面の面形状に合わせて、補助ロケット５の胴部曲面を削り、接着面の両側に穴をあけ、ピン６を入れて、締め込んで圧入することで、結合材のピン６を表に見せず接着面を隙間なく結合させることを特徴とする。【選択図】図１
0003196817.tif 000002
【実用新案登録請求の範囲】
【請求項１】
金属どうしの平面と曲面、曲面と曲面を圧入によって接着する際、平面と曲面の場合は、曲面側の接触面を平面胴部の面形状に合わせて削り、曲面と曲面の場合は、主となる曲面胴部の面形状に合わせて他方曲面を削り、接着面の両側に穴をあけピンを入れ締め込んで圧入することで、接着面を隙間なく結合させ、結合材のピンを表に見せず仕上げる。
【考案の詳細な説明】
【技術分野】
【０００１】本考案は、金属と金属どうしを結合する際の構造に関するものである。
【背景技術】
【０００２】従来、金属どうしの結合においては、溶接するか、金属面どうしの両側に穴をあけ、ピンを入れる圧入による結合方法で、この際、接触面の面取りはせずに結合させていた。
【考案の概要】
【考案が解決しようとする課題】
【０００５】溶接による金属どうしの結合は、溶接部分に跡が残ってしまう。また、金属面どうしの両側に穴をあけ、ピンを入れる圧入による結合も面取りをせずに結合すると接着面が点どうしの接触となり、結合材のピンが表面に見えてしまう。従って、金属どうしの接触面の面取りをしてから結合することにより、密着強度を増すとともに、ピンを表に見せず仕上げることが可能になり、前述の欠点を解決しようとするものである。
【課題を解決するための手段】
【０００６】金属どうしを結合する際、主となる胴部の面形状に合わせて他方面を削り、接着面の両側に穴をあけピンを入れ締め込んで圧入することで、接着面を隙間なく結合させ、結合材のピンを表に見せず仕上げることにより問題点を解決している。
【考案の効果】
【０００７】上述のように、本考案の構造は、金属どうしの結合をより美しく仕上げ結合強度を増すのに役立つ。
【図面の簡単な説明】
【０００８】
【図１】本考案の構造の一実施例である。
【図２】図１の完成形を示す図である。
【考案を実施するための形態】
【０００９】金属どうしの平面と曲面、曲面と曲面を結合する際、平面と曲面の場合は、曲面側の接触面を平面胴部の面形状に合わせて削り、曲面と曲面の場合は、主となる曲面胴部の面形状に合わせて他方曲面を削り、接着面の両側に穴をあけピンを入れ締め込んで圧入することで、接着面を隙間なく結合させる。
【実施例】
【０００１０】１．は弊社製作のパーミルロケットという。材質は、２．４．５．部はアルミ、３．部はチタン、６．はステンレスを使用している。
本考案の構造を１．パーミルロケットの４．第一段ロケット胴部に５．左右補助ロケットを結合させる際を例として、添付図面に従って説明する。
４．第一段ロケット胴部に５．左右補助ロケットを結合させる際、図１の実線囲い部の様に補助ロケットの胴体への接触面を胴体の面形状に合わせて削り、６．結合ピンを入れ、手で補助ロケットをピンに押し込み、バイスで締め込む。
【産業上の利用可能性】
【００１１】本考案による構造は、金属と金属の結合全般に応用できるものと考えられる。
【符号の説明】
【００１２】１  パーミルロケット本体
２  フェアリング（アルミ）
３  第二段ロケット（チタン）
４  第一段ロケット（アルミ）
５  補助ロケット（アルミ）
６  結合ピン（ステンレス）
【図１】
0003196817.tif 000003
【図２】
0003196817.tif 000004
【手続補正書】
【提出日】平成27年1月15日(2015.1.15)
【手続補正１】
【補正対象書類名】実用新案登録請求の範囲
【補正対象項目名】全文
【補正方法】変更
【補正の内容】
【実用新案登録請求の範囲】
【請求項１】
パーミルロケットの第１段ロケットと補助ロケットを結合する際に主となる第１段ロケットの胴部曲面の面形状に合わせて、補助ロケットの胴部曲面を削り、接着面の両側に穴をあけ、ピンを入れて、締め込んで圧入することで、結合材のピンを表に見せず接着面を隙間なく結合させることを特徴とする金属どうしの結合面構造。
(57)【要約】      （修正有）【課題】工事損失調査（工損調査）等で作業効率と精度を向上するための浮き式柱傾斜計を提供する。【解決手段】正四角柱箱１内に、浮き２入り円錐形管３を設け、円錐形管の上端面には中心点から複数の円と放射状の標線４を設け、この正四角柱箱１の上下端に柱当て５を設けた浮き式柱傾斜計で「重力（鉛直）の正反対に浮力が生じる」の原理で浮き２が鉛直方向を示すことを特徴とする。【選択図】図１
0003196820.tif 000002
【実用新案登録請求の範囲】
【請求項１】
正四角柱箱（１）内に、浮き（２）入り円錐形管（アルコールやエーテルなどの液体と一つの浮き（２）が入れられた密閉容器）（３）を設け、円錐形管の上端面には中心点から複数の円と放射状の標線（測定目盛）（４）を設け、この正四角柱箱（１）の上下端に柱当て（５）を設けた浮き式柱傾斜計。
【考案の詳細な説明】
【技術分野】
【０００１】  この考案は、正四角柱箱内に浮き入り円錐形管（アルコールやエーテルなどの液体と一つの浮きが入れられた密閉容器）を取り付けた柱傾斜測定器である。
この考案は、浮きが鉛直方向を示すことを利用した柱傾斜測定器である。浮き入り円錐形管の上端面には中心点から複数の円と放射状の標線（測定目盛）が入っており、柱に正四角柱箱の側面を当てたときに、浮き入り円錐形管の中の浮きの位置が標線の最も中央の中心点にあれば、その柱は鉛直であることになる。正四角柱箱内に取り付けられている円錐形管の角度によって、その円錐形管で測ることが可能な角度（範囲）は異なる。
【背景技術】
【０００２】  従来、柱傾斜の測定器は振り子式のものが主流であった。
【先行技術文献】
【考案文献】
【０００３】  同様及び類似的なものは特にない。
【考案の概要】
【考案が解決しようとする課題】
【０００４】  これは、次のような欠点があった。
従来、柱傾斜を測定する場合、振り子が静止するための時間がかかっていた。また、測定の際に屈んで測定値を覗き込む作業が発生していた。さらに、東西方向と南北方向はそれぞれ測定し、２方向のデータを取っていたため時間がかかっていた。なお、そのときの測定値を転記したホワイトボードなどを写真撮影することにより記録していたため、測定値の読み取りミスや転記ミスなどが発生していた。以上のような課題を解決するためになされたものである。
【課題を解決しようとする手段】
【０００５】  正四角柱箱（１）内に、浮き（２）入り円錐形管（アルコールやエーテルなどの液体と一つの浮き（２）が入れられた密閉容器）（３）を設け、円錐形管の上端面には中心点から複数の円と放射状の標線（測定目盛）（４）を設け、この正四角柱箱（１）の上下端に柱当て（５）を設ける。
本考案は、以上の構成よりなる浮き式柱傾斜計であり、工事損失調査（工損調査）等の測定器である。
【考案の効果】
【０００６】  工事損失調査（工損調査）等が時間短縮され、上端面の測定目盛（４）を直接写真撮影することにより、転記ミスがなくなることが可能となるものである。また、屈んで測定値を覗き込む作業が減ることによる作業効率も向上する。なお、測定点の位置も工損調査の仕様書（床より１ｍの位置）に合致する。
【図面の簡単な説明】
【０００７】
【図１】    本考案の斜視図である。
【図２】    本考案の平面図である。
【図３】    本考案の断面図である。
【図４】    本考案の上端面の測定時拡大平面図である。
【図５】    本考案の上端面の測定時の浮き先端位置の拡大平面図である。
この図面の場合の測定値は、測定目盛数値が方向角８１度・中心から１１ｍｍである。したがって、柱の実際の傾き数値は正反対方向となるため、方向角２６１度（８１＋１８０）・中心から１１ｍｍとなる。
【考案を実施するための形態】
【０００８】以下、考案を実施するための形態について説明する。
正四角柱箱（１）内に、浮き（２）入り円錐形管（アルコールやエーテルなどの液体と一つの浮き（２）が入れられた密閉容器）（３）を設け、円錐形管の上端面には中心点から複数の円と放射状の標線（計測目盛）（４）を設け、この正四角柱箱（１）の上下端に柱当て（５）を設ける。
本考案は、以上の構成よりなる浮き式柱傾斜計であり、工事損失調査（工損調査）等の測定器として利用するものである。
従来、柱傾斜の測定器は振り子式のものであったため、柱傾斜を測定する場合、振り子が静止するための時間がかかっていた。また、測定の際は屈んで測定値を覗き込む作業が発生していた。さらに、東西方向と南北方向はそれぞれ測定し、２方向のデータを取っていたため時間がかかっていた。なお、そのときの測定値を転記したホワイトボードなどを写真撮影することにより記録していたため、測定値の読み取りミスや転記ミスなどが発生していた。本考案は、以上のような課題を解決するためになされたものである。
【符号の説明】
【０００９】  １  正四角柱箱
２  浮き
３  円錐形管（アルコールやエーテルなどの液体と一つの浮きが入れられた密閉容器）
４  標線（測定目盛）
５  柱当て
【図１】
0003196820.tif 000003
【図２】
0003196820.tif 000004
【図３】
0003196820.tif 000005
【図４】
0003196820.tif 000006
【図５】
0003196820.tif 000007
【手続補正書】
【提出日】平成27年1月15日(2015.1.15)
【手続補正１】
【補正対象書類名】実用新案登録請求の範囲
【補正対象項目名】全文
【補正方法】変更
【補正の内容】
【実用新案登録請求の範囲】
【請求項１】
正四角柱箱（１）内に、浮き（２）入り円錐形管（３）を設け、円錐形管の上端面には中心点から複数の円と放射状の標線（４）を設け、この正四角柱箱（１）の上下端に柱当て（５）を設けた浮き式柱傾斜計。
(57)【要約】      （修正有） 【課題】フォークやナイフの機能を持たせ片手で食事のできるスプーンを提供する。【解決手段】スプーン先端に、先端より突き出した形状のフォーク部１を設ける。更にフォーク部１の下部外周に波状の加工を施し、麺類のからめとり部２を両側面に設ける。また、その下部外周片方に、物の切断が出来る切断部３の加工を施しナイフの機能を持たせる。片手でも刺す、からめる、切る、掬うことが出来る多機能スプーンとなる。握りやすくするために丸、多角形状の柄６を接続し一体化することが好ましい。【選択図】図１
0003196811.tif 000002
【実用新案登録請求の範囲】
【請求項１】
本考案は、スプーン先端に、先端より突き出した形状のフォーク部1を設けたことを特徴とするスプーン。
【請求項２】
本考案は、フォーク部下部外周両側面に波上の加工を施した麺類のからめとり部２を設けことを特徴とするスプーン。
【請求項３】
本考案は、からめとり部２下部外周片方に、物の切断且つ物を動きにくくするために刃を断続的な形状に加工した切断部３を設けたことを特徴とするスプーン、切断部位置は左右どちらでも良い。
【請求項４】
本考案は、スプーン本体下部に込７の加工を施し、柄６に接続する、柄は握りやすくするために形状は、丸、多角形としたことを特徴とするスプーン。
【考案の詳細な説明】
【技術分野】
【０００１】
本考案は従来のスプーンを多用途化するために加工を施したスプーンに関するものである。
【背景技術】
【０００２】
従来のスプーンには先割れスプーンを代表にスプーンの形状に加工を加えフォーク等の機能を持たせたものがある。
【先行技術文献】
【特許文献】
【０００３】
【特許文献１】特開平8-56801号
【特許文献２】特開2006-141877号
【考案の概要】
【考案が解決しようとする課題】
【０００４】
人には片手、又、片手しか使えない場合がある。箸の用途は挟む、切る、刺すなど多用途に使用できるが飲む機能はない。スプーン用途は掬い取ることだがスプーンに加工を施すことにより、前述の箸の機能を持たせ片手で食事の出来るスプーンの提供を目的とする。
【課題を解決するための手段】
【０００５】
スプーン本体の掬う機能に、スプーン製作においてに食べ物を選択できるようスプーン先端より突き出した形状のフォーク部１を設ける。更に麺類をからめとる用途にフォーク部１下部外周に波状の加工を施し、からめとり部２を両側面に設ける。その下部外周片方に物の切断、且つ物を動きにくくするために刃を断続的に設けた切断部３の加工を施す。スプーン本体５にこれらの加工を施すことにより、片手でも刺す、からめる、切る、掬うことが出来る多機能スプーンとなる、柄6部分は握りやすくするために丸、多角形状のものをスプーン本体５に取り付ける。
【考案の効果】
【０００６】
上述のように、スプーン本体先端より突き出した形状のフォーク部１を設けることにより豆などを刺すことが出来る。その下部外周にからめ取部２の加工を施すことにより、麺類の巻き取り時にすべりにくくなり、食事が容易になる。その下部外周に切断部３を設けることにより肉類の切断が出来、ナイフの機能を持たせる。通常のスプーンは掬う機能ひとつだが、本考案は多機能であり、スプーン本体と握りやすい柄６を接続することにより片手のみでも食事をすることが出来る。
【図面の簡単な説明】
【０００７】
【図１】本考案の多機能スプーン実施例を示す水平時の平面図
【図２】多機能スプーン側面図
【考案を実施するための形態】
【０００８】
金属製、プラスチック製等のスプーン本体の掬う機能に、スプーン製作においてに食べ物を選択できるようスプーン先端より突き出した形状のフォーク部１を設ける。更に麺類をからめとる用途にフォーク部１下部外周に波状の加工を施し、からめとり部２を両側面に設ける。その下部外周片方に物の切断、且つ物を動きにくくするために刃を断続的に設けた切断部３の加工を施す。スプーン本体５にこれらの加工を施すことにより、片手でも刺す、からめる、切る、掬うことが出来る多機能スプーンとなる、柄6部分は握りやすくするために丸、多角形状のものをスプーン本体５に取り付ける。
【実施例】
【０００９】
図１は本考案の水平状態平面図であり、使用時は従来スプーン同様で用いる。
図２は本考案の特徴であるスプーン本体外周の使用時の側面図を示す。
【符号の説明】
【００１０】
１  フォーク部
２  からめとり部
３  切断部
４  掬い部
５  スプーン本体
６  柄
７  込
【図１】
0003196811.tif 000003
【図２】
0003196811.tif 000004
【手続補正書】
【提出日】平成26年11月27日(2014.11.27)
【手続補正１】
【補正対象書類名】実用新案登録請求の範囲
【補正対象項目名】全文
【補正方法】変更
【補正の内容】
【実用新案登録請求の範囲】
【請求項１】
スプーン先端に、先端より突き出した形状の「フォーク部（1）」を設けたことを特徴とするスプーン。                                   
【請求項２】
フォーク部の下部外周両面に波上の加工を施した麺類の「からめとり部（２）」を設けことを特徴とする請求項１記載のスプーン。
【請求項３】
からめとり部の下部外周片方に、物の切断且つ物を動きにくくするために刃を断続的な形状に加工した「切断部（３）」を設けたことを特徴とする請求項１記載のスプーン。
【請求項４】
スプーン本体下部に「込（７）」の加工を施し、柄に接続する、柄は握りやすくするために形状は、丸、多角形としたことを特徴とする請求項１記載のスプーン。
【手続補正２】
【補正対象書類名】図面
【補正対象項目名】図２
【補正方法】変更
【補正の内容】
【図２】
0003196811.tif 000005
【手続補正書】
【提出日】平成27年2月2日(2015.2.2)
【手続補正１】
【補正対象書類名】実用新案登録請求の範囲
【補正対象項目名】全文
【補正方法】変更
【補正の内容】
【実用新案登録請求の範囲】
【請求項１】
スプーン先端に、先端より突き出した形状のフォーク部（1）を設けたことを特徴とするスプーン。                                   
【請求項２】
フォーク部の下部外周両面に波上の加工を施した麺類のからめとり部（２）を設けことを特徴とする請求項１記載のスプーン。
【請求項３】
からめとり部の下部外周片方に、物の切断且つ物を動きにくくするために刃を断続的な形状に加工した切断部（３）を設けたことを特徴とする請求項２記載のスプーン。
【請求項４】
スプーン本体下部に込（７）の加工を施し、柄に接続する、柄は握りやすくするために形状は、丸、多角形としたことを特徴とする請求項１記載のスプーン。
(57)【要約】      （修正有）【課題】耐熱性絶縁板の厚さを増加させ可溶部を収納する収納室の容積を拡大することで定格電圧値のランクアップを図るリミッターヒューズを提供する。【解決手段】両端子に溝幅切欠部１ａ、１ｂを有し、中央部両側を変形Ｔ形状の脚状の長辺部を対向するように残した突出部１ｃとこれを塞ぐ一対のエ字形挟定板７と両端子間の中央部の可溶部１ｄを一体プレス加工により形成した良導体金属薄板とさらに前記両端子の溝幅切欠部１ａ、１ｂと同形状の可溶部１ｄの無い導電補強金属板２、３を重ね、これに第一の耐熱性絶縁板４、耐熱性絶縁透明板５及び第二の耐熱性絶縁板６を順次重ねた後、これをかしめ金具にて固定してなるリミッターヒューズにおいて、可溶部１ｄを収納する空間となる遮断室の容積を拡大するように前記可溶部１ｄと接する第二の耐熱性絶縁板６の厚さを増加することで、定格電圧値を少なくとも２倍以上の電圧値にランクアップ可能とすることを特徴とした。【選択図】図２
0003196848.tif 000002
【実用新案登録請求の範囲】
【請求項１】
両端子に溝幅切欠部を有し、中央部両側を変形Ｔ形状の脚状の長辺部を対向するように残した突出部とこれを塞ぐ一対のエ字形挟定板と両端子間の中央部の可溶部を一体プレス加工により形成した良導体金属薄板とさらに前記両端子の溝幅切欠部と同形状の可溶部の無い導電補強金属板を重ね、これに第一の耐熱性絶縁板、耐熱性絶縁透明板及び第二の耐熱性絶縁板を順次重ねた後、これをかしめ金具にて固定してなるリミッターヒューズにおいて、可溶部を収納する空間となる遮断室の容積を拡大するように前記可溶部と接する第二の耐熱性絶縁板の厚さを増加することで、定格電圧値を少なくとも２倍以上の電圧値にランクアップ可能とすることを特徴としたリミッターヒューズ。
【考案の詳細な説明】
【技術分野】
【０００１】本考案は、主としてバッテリー等の直流電源回路に用いられる小形の直流低電圧大電流（リミッター）ヒューズの改良に関する。
【背景技術】
【０００２】従来より、リミッターヒューズは良導体金属の薄板を両端子と中央に可溶部を含む一体プレス加工をベースにし、これに耐熱性絶縁材を重ねて固定した図１のような構造のものが公知とされていた。
図１において、（イ）、（ロ）は端子切欠部、（ハ）、（ニ）は対向突出部、エ字形挟定板（ホ）、（ホ）、（ヘ）は可溶部を有する良導体金属薄板の一体プレス加工ベースである。（チ）、（リ）は前記両端子の溝幅切欠部と同形の導電補強金属板である。（ヌ）は第一の耐熱性絶縁板、（ル）は耐熱性絶縁透明板、（オ）は第二の耐熱性絶縁板、（ワ）はかしめ金具である。
【考案の概要】
【考案が解決しようとする課題】
【０００３】公知のリミッターヒューズは上述の部材の組み合わせにより積層状に重ねられ、複数個のかしめ金具（ワ）により固定されている。
この構造からもわかるようにリミッターヒューズ可溶部の収納される空間の遮断室の容積の増減は（オ）の第二の耐熱性絶縁板の厚さにより決定される。【０００４】この結果、従来品の第二の耐熱性絶縁板の厚さは直流定格電圧値にして最大４８ボルト程度までの遮断室の容積しか無く、それ以上の電圧値での裕度が無いという問題があった。
すなわち、Ａｘ  Ｂｘ  Ｃ≦４８Ｖ（ｄｃ）
【課題を解決するための手段】
【０００５】両端子に溝幅切欠部を有し、中央部両側を変形Ｔ形状の脚状の長辺部を対向するように残した突出部とこれを塞ぐ一対のエ字形挟定板と両端子間の中央部の可溶部を一体プレス加工により形成した良導体金属薄板とさらに前記両端子の溝幅切欠部と同形状の可溶部の無い導電補強金属板を重ね、これに第一の耐熱性絶縁板、耐熱性絶縁透明板及び第二の耐熱性絶縁板を順次重ねた後、これをかしめ金具にて固定してなるリミッターヒューズにおいて、可溶部を収納する空間となる遮断室の容積を拡大するように前記可溶部と接する第二の耐熱性絶縁板の厚さを増加することで、定格電圧値を少なくとも２倍以上の電圧値にランクアップ可能とすることにより問題を解決している。
【考案の効果】
【０００６】上述のように、ヒューズ構成上、第二の耐熱性絶縁板の厚みを増加するだけで済むことから組立てが容易でかつ、生産効率も良好な改良が可能となる。
【図面の簡単な説明】
【０００７】
【図１】  従来のリミッターヒューズの分解平面図及び側面図
【図２】  本考案のリミッターヒューズの分解斜視図
【図３】  本考案のリミッターヒューズの側面図
【考案を実施するための形態】
【０００８】本考案のリミッターヒューズは従来の構成部材の内、第二の耐熱性絶縁板の厚さを厚くすることで可溶部の遮断室を任意の大きさに拡大できることから工作も容易であり、遮断室の容積率も２倍以上となることで定格電圧値にランクアップできる。
Ａｘ  Ｂｘ  Ｃ’＞４８〜９６Ｖ（ｄｃ）
【実施例】
【０００９】以下、図面に従って一実施例を説明すると次のようである。
図２において、１は良導体金属薄板、２、３は導電補強金属板、４は第一の耐熱性絶縁板、５は耐熱性絶縁透明板、６は第二の耐熱性絶縁板、７はエ字形挟定板、８はかしめ金具からなり、これらの各部材の所定の位置には前記８のかしめ金具を挿通させる共通な小穴Ｈが予め開けてあり、最終的にはプレス加工によりかしめ固定される。【００１０】上記部材の材質には良導体金属薄板は銅又は銀、導電補強金属板は銅又は黄銅、エ字形挟定板、第一及び第二の耐熱性絶縁板はガラス繊維入りシリコン基板、耐熱性絶縁透明板はマイカーを用いており、これらは自在かつ、容易に機械加工ができる。【００１１】  また、良導体金属薄板１には両端子に溝幅切欠部１ａ、１ｂを有し、中央部両端を変形Ｔ形状の脚状の長辺部を対向するように残した突出部１ｃ及び中央の可溶部１ｄには狭隘部を設けており、電流の大きさに応じて速断できるようにしてある。
そして前記両端子の溝幅切欠部１ａ、１ｂと同形状の可溶部の無い導電補強金属板２、３からなる。
さらに第一の耐熱性絶縁板４の中央部にものぞき穴４ａを設けてあり、これによりヒューズ可溶部の溶断状態（溶断の有無）を目視で確認できるので、保守上の利便性を有する。【００１２】図３は、本考案のリミッターヒューズの側面図であるが、第二の耐熱性絶縁板６の厚さを増したことにより組立完成品の積層状態が従来品に比し、Ｃ’＞Ｃとなり、遮断室の容積が拡大したことがわかる。
これにより従来の最大４８Ｖ（ｄｃ）の低電圧定格値を超える電圧値までランクアップすることが可能となる。
また、リミッターヒューズの厚みが増すことで、取付け状態に支障を来すような懸念を生じるが、これを取付けるヒューズホルダには間隔寸法に十分な裕度があり何等問題はない。
【符号の説明】
【００１３】１  良導体金属薄板
２  導電補強金属板
３  導電補強金属板
４  第一の耐熱性絶縁板
５  耐熱性絶縁透明板
６  第二の耐熱性絶縁板
７  エ字形挟定板
８  かしめ金具
【図１】
0003196848.tif 000003
【図２】
0003196848.tif 000004
【図３】
0003196848.tif 000005
(57)【要約】      （修正有）【課題】画面を操作するタイプの情報端末を操作する際に、多様な操作を容易に行なえるタッチペンを提供する。【解決手段】独立して機能する二本の情報端末操作用タッチペン１、２それぞれに、嵌め合い方式もしくは磁石による吸着方式で二本を平行に固定、分離できる構造を持たせ、固定した状態では一本のペンとして使用でき、分離した時には二本のペンを箸のように持って、多様な操作を効率良く行える。また、指先を直接画面に触れることが不要となるため、衛生面での優位性も増す。【選択図】図１
0003196808.tif 000002
【実用新案登録請求の範囲】
【請求項１】
タッチペンを二本に分離できる構造を持ち、必要に応じて一本で使用したり、二本にして箸のように持って、多様な操作を効率よく行えることを特徴とするタッチペン
【考案の詳細な説明】
【技術分野】
【０００１】  本考案は、画面を操作するタイプの情報端末を使用する際に、必要に応じて一本で使用したり、二本にして箸のように持って多様な操作を可能にできるタッチペンであり、タッチペンを二本に分離できる構造を持つことを特徴としている。
【背景技術】
【０００２】  画面上で操作するタイプの情報端末にあっては、指またはタッチペンによって操作するが、画像を拡大したり縮小したりするには、指の幅を開いたり狭めたりする操作が必要になり、普段はタッチペンを使用していても、その時には指操作に変更する必要があった。
【考案の概要】
【考案が解決しようとする課題】
【０００３】  画面を操作するために、タッチペンを使用するニーズは、操作スピードや確実性、衛生面の考慮等が考えられるが、画像の拡大や縮小指示操作は指を開いたり狭めたりしなければならないこともあるため、ペンの持ち替えなどが必要になる。
上記課題に対し、持ち替える必要が無いタッチペンを考案する。
【課題を解決するための手段】
【０００４】  タッチペンを二本に分離できる構造にして一体化し、一本で使用したり必要に応じて二本に分離して、箸のように持って使用することで、操作の途中で持ち替えたりしなくても、多様な操作をスムーズにできることを特徴とするタッチペンを考案する。
【考案の効果】
【０００５】  一本で操作する場面の他に、画像の拡大や縮小指示操作を伴う場面では、二本のペンに分離して箸のように持って使用することで、二本のペン先を開いたり狭めたり操作することで、持ち替えることなく効率の良い操作が可能になり、利便性が増す。
また、指先を直接画面に触れることが不要となるため、衛生面での優位性も増す。
【図面の簡単な説明】
【０００６】
【図１】全体の概要図面（一例）である。
【図２】二本のペンの固定方法の事例である。
【考案を実施するための形態】
【０００７】  二本のタッチペンを、簡単に分離可能な構造を持たせて一体化する。
本考案において、二本のタッチペンを固定することは、一本のペンとして使用する際の操作性を阻害しないことであり、固定するための構造は問わない。
【符号の説明】
【０００８】  １  タッチペン１
２  タッチペン２
【図１】
0003196808.tif 000003
【図２】
0003196808.tif 000004
【手続補正書】
【提出日】平成26年11月20日(2014.11.20)
【手続補正１】
【補正対象書類名】実用新案登録請求の範囲
【補正対象項目名】全文
【補正方法】変更
【補正の内容】
【実用新案登録請求の範囲】
【請求項１】
独立して機能する情報端末操作用タッチペン二本それぞれに、嵌め合い方式等で二本を平行に固定、分離できる構造を持たせ、固定した状態では一本のペンとして使用でき、分離した時には二本のペンを箸のように持って、多様な操作を効率良く行えることを特徴とするタッチペン。
【手続補正書】
【提出日】平成27年1月23日(2015.1.23)
【手続補正１】
【補正対象書類名】実用新案登録請求の範囲
【補正対象項目名】全文
【補正方法】変更
【補正の内容】
【実用新案登録請求の範囲】
【請求項１】
独立して機能する情報端末操作用タッチペン二本それぞれに、嵌め合い方式もしくは磁石による吸着方式で二本を平行に固定、分離できる構造を持たせ、固定した状態では一本のペンとして使用でき、分離した時には二本のペンを箸のように持って、多様な操作を効率良く行えることを特徴とするタッチペン。
(57)【要約】      （修正有）【課題】手間がかからず、簡単に新旧を区分けした上で保管でき、古い物から先に使用することが可能となる保管容器を提供する。【解決手段】容器本体２を、内部に仕切りのない空洞にし、上蓋１と底蓋３を設置する。賞味期限の新しい物を継ぎ足したい場合は、容器本体を反転させ、底蓋側から新しい物を入れ、再び、容器本体を反転させ、上蓋を上にすることで、容器内は、必ず、新しい物ほど底蓋側に、古い物ほど上蓋側になる。【選択図】図１
0003196805.tif 000002
【実用新案登録請求の範囲】
【請求項１】
円柱状で内部に遮断するものがない空洞な容器本体に、上蓋と底蓋を設置し、底蓋側から固形状の食料品等の継ぎ足しができるようにしたことで、上蓋側から古い物の使用を可能としたところを特徴とする保管容器。
【考案の詳細な説明】
【技術分野】
【０００１】
本考案は、固形状の食料品や嗜好品等を継ぎ足す際の手間を省き、同時に賞味期限の古い順に使えるようにした保管容器に関するものである。
【背景技術】
【０００２】
食料品や嗜好品、調味料などは、賞味期限の古い順に使用していくのが通常であるが、それらのうち、固形状で新旧の区分けが可能な物に関しては、従来の保管容器の蓋が一箇所しかない、あるいは、上下二箇所に蓋があったとしても内部に仕切りがあるため、賞味期限の新しい物を継ぎ足したい場合は、一旦、容器の中身をすべて出した上で、新しい物を容器に入れ、その上から出した中身を入れて、ようやく、賞味期限の古い物から使うことができるといった具合に手間がかかった。
【先行技術文献】
【特許文献】
【０００３】
【特許文献１】特開２０００−１２８２６０号公報
【考案の概要】
【考案が解決しようとする課題】
【０００４】
賞味期限の新しい物を継ぎ足したい場合に、従来の容器であれば、前述のように手間がかかり、効率が悪い。従って、保管容器の蓋を一箇所でなく、上下二箇所設置し、また容器本体には内部を仕切る遮蔽版などを設置しない空洞にすることにより、継ぎ足しの際に手間をかけず、しかも賞味期限の古い順に使用できるようにして、従来の欠点を解決するものである。
【課題を解決するための手段】
【０００５】
本考案は、空洞の容器本体に上蓋と底蓋を設置することにより、継ぎ足し作業も容器本体を反転させるだけで、賞味期限の新しい物を底蓋側から簡単に継ぎ足すことが可能となり、しかも賞味期限の古い物は上蓋側から使用していくことができ、従来の欠点を解決するものである。
【考案の効果】
【０００６】
本考案の保管容器を使用することによって、固形状の食料品や嗜好品等について、賞味期限の新旧を手間をかけず簡単に区分けでき、しかも、古い物から使っていくことが可能となる。
【図面の簡単な説明】
【０００７】
【図１】図は、本考案の円柱状保管容器の正面図で、上蓋１と底蓋３を閉じた状態である。図のように、保管容器本体２に、上蓋１だけでなく、底蓋３を設置する。保管容器本体２は、空洞であり、内部を仕切るような遮蔽版はない。
【図２】図は、本考案の保管容器の正面図で、上蓋１と底蓋３を開けた状態である。新しい食料品等を継ぎ足す場合は、上蓋１を閉じた上で、保管容器本体２を反転させて、底蓋３側から継ぎ足すことになる。
【考案を実施するための形態】
【０００８】
本考案は、空洞で円柱状の容器本体に、上蓋と底蓋を設置している。  この場合。食料品等は上蓋側から使用していくことになるが、容器の中身が少なくなり、賞味期限の新しい物を継ぎ足したい場合には、容器本体を反転させ、底蓋が上にくるようにした上で、底蓋側から新しい物を継ぎ足す。このことにより、古い物ほど、上蓋側に、新しい物ほど底蓋側にくることになるので、再び容器本体を反転させ、上蓋が上にくるようにして、上蓋側から使用していけば、結果的に、古い物から使用していくことが可能となる。
【符号の説明】
【０００９】
１    上蓋
２    保管容器本体
３    底蓋
【図１】
0003196805.tif 000003
【図２】
0003196805.tif 000004
(57)【要約】      （修正有）【課題】僅かな熱交換率の低下だけで他のエネルギーを一切使用せずに、熱交換式換気扇の外気吸入口に生じる結露を防止する、熱交換式換気扇結露防止装置を提供する。【解決手段】熱交換式換気扇１の外気吸入口２付近に分岐管３を取り付け、熱交換式換気扇の給気口４付近にも分岐管５を取り付ける。熱交換式換気扇の給気口付近は暖気と送風機によって気圧の高い正圧になっており、逆に外気吸入口付近は低温と換気扇の吸引で負圧状態になっているため、分岐管同士を循環ダクト６で繋いだだけで暖気が自然循環し、結露が防止できる。【選択図】図１
0003196834.tif 000002
【実用新案登録請求の範囲】
【請求項１】
ビルトインタイプの熱交換式換気扇▲１▼の外気吸入口▲２▼付近に取付けた暖気循環用分岐管▲３▼と、該熱交換式換気扇の給気口▲４▼付近に取付けたリターン用分岐管▲５▼を循環ダクト▲６▼で繋ぎ、給気口▲４▼からの熱交換された空気を循環ダクト▲６▼、暖気循環用分岐管▲３▼を通じて外気吸入口▲２▼付近にリターンさせ、熱交換式換気扇▲１▼の外気吸入口▲２▼付近に発生する結露を防止することを特徴とした、熱交換式換気扇結露防止装置。
【請求項２】
前記熱交換式換気扇▲１▼の外気吸入口▲２▼付近に取付けた暖気循環用分岐管▲３▼の循環ダクト▲６▼接続側に、公知の風量調整装置▲７▼を設置したり、外気吸入口▲２▼付近に外部粉塵を捕集するフィルターボックスを設置したことを特徴とする、請求項１に記載の熱交換式換気扇結露防止装置。
【請求項３】
前記熱交換式換気扇▲１▼の手前（外気側）に、熱交換装置▲９▼を加えて熱交換効率の向上を行った、請求項１または請求項２に記載の熱交換式換気扇結露防止装置。
【考案の詳細な説明】
【技術分野】
【０００１】  本考案は厳寒期において熱交換式換気扇の外気吸入口付近に発生する結露を防止するための熱交換式換気扇結露防止装置に関するものである。
【背景技術】
【０００２】  一般に熱交換式換気扇は、氷点下の外気が吸入されると外気吸入口付近や熱交換式換気扇の管内に結露を生じさせる場合があり、熱源の大きなヒーターを用いる防止策がある。
【考案の概要】
【考案が解決しようとする課題】
【０００３】  従来の熱交換式換気扇は、以下のような問題点を有している。
＜１＞熱交換式換気扇は冷たい外気で該熱交換式換気扇の外気吸入口付近を冷やすため、      室内の湿気が凝縮して結露を生じさせ、室内に漏水させる問題がある。
＜２＞熱交換式換気扇の外気吸入口側に外部の埃やＰＭ２．５などを除去するフィルター      ボックスを設置する場合があるが、そのフィルターボックスに結露を生じさせる問      題がある。
＜３＞上記の問題点を回避するため電気ヒーターなど用いた方法はあるが、大きなエネル      ギーを用いる問題がある。【０００４】  本考案は以上の点に鑑みて成されたもので、その目的とするところは、２個の分岐管をダクトで繋ぐだけで全くエネルギーを消費することなく結露を防止する装置を提供することにある。
【課題を解決するための手段】
【０００５】  本考案は、ビルトインタイプの熱交換式換気扇の外気吸入口付近に暖気循環用分岐管を取り付け、該熱交換式換気扇の給気口付近にもリターン用分岐管を取り付ける。
この熱交換式換気扇の給気口付近に取付けたリターン用分岐管付近は、暖気と送風機によって気圧の高い正圧になっており、逆に外気吸入口付近に取り付けた暖気循環用分岐管付近は低温と換気扇の吸引で負圧状態になっているため、循環ダクトで繋いだだけで暖気が自然循環を為す特徴を持った、熱交換式換気扇結露防止装置。
【考案の効果】
【０００６】＜１＞簡単な装置で、熱交換式換気扇の外気吸入口付近の結露が防止できる。
＜２＞該熱交換式換気扇の効率が僅かに低下するが、エネルギーを全く使用せず結露を防止できる。
＜３＞地域ごとの外気温度に沿った風量を、循環ダクトや分岐管の直径、調整弁で調整できる。
＜４＞外部粉塵の多い地域には、公知のフィルターボックスを設置できる。
【図面の簡単な説明】
【０００７】
【図１】本考案に係る熱交換式換気扇結露防止装置の説明図
【図２】風量調整装置を追加した請求項２の説明図
【図３】熱交換装置を追加した請求項３の説明図
【考案を実施するための形態】
【０００８】  以下に図面を参照しながら本考案について説明する。
【０００９】［実施の形態１］
＜１＞前提とする熱交換式換気扇。
図１を参照しながら、本考案に係る熱交換式換気扇結露防止装置について説明する。
熱交換式換気扇は、外気吸入口、排気口、給気口、還気口を有し、それぞれがダクトを接続できる熱交換式換気扇とする。
【００１０】＜２＞分岐管の取付け位置
熱交換式換気扇▲１▼の外気吸入口▲２▼付近に、公知の分岐管で直線方向の直径が太く、分岐側（循環ダクト▲６▼接続側）が細い形状の暖気循環用分岐管▲３▼を取り付け、該熱交換式換気扇▲１▼の給気口▲４▼付近に、同型のリターン用分岐管▲５▼を取り付ける。
【００１１】＜３＞循環ダクトの取り付け方法
暖気循環用分岐管▲３▼とリターン用分岐管▲５▼を、循環ダクト▲６▼で接続する。
【００１２】＜４＞熱交換式換気扇結露防止装置の作用
次に熱交換式換気扇結露防止装置の作用について説明する。
熱交換式換気扇▲１▼の外気吸入口▲２▼付近に取り付けた暖気循環用分岐管▲３▼と、該熱交換式換気扇▲１▼の給気口▲４▼付近に取り付けたリターン用分岐管▲５▼を循環ダクト▲６▼で繋ぐことで、熱交換式換気扇▲１▼の給気口▲４▼付近に取り付けたリターン用分岐管▲５▼付近は暖気と送風機によって気圧の高い正圧になっており、逆に外気吸入口▲２▼付近に取り付けた暖気循環用分岐管▲３▼付近は低温と換気扇の吸引で負圧状態になっているため、循環ダクト▲６▼で繋いだだけで自然に暖気が循環するため吸入口付近の気温を上昇させて結露防止の作用が機能する。
【００１３】  このように、熱交換式換気扇の外気吸入口付近と給気口付近に分岐管を設置して、分岐管同士を循環ダクトで繋いだだけで結露が生じなくなる。
【００１４】［実施の形態２］
図２は公知の風量調整装置▲７▼やフィルターボックス▲８▼を追加設置した本考案に係る熱交換式換気扇結露防止装置の形態を示すものである。
熱交換式換気扇▲１▼の大きさや、外気の極端に低い地域、外部粉塵の多い地域などで、必要に応じて循環空気量を調整するための公知の風量調整装置▲７▼やフィルターボックス▲８▼を取り付けることも出来る。
【００１５】［実施の形態３］
図３は熱交換式換気扇▲１▼に加え、さらに熱交換装置▲９▼を追加した形態を示すものである。
前記熱交換式換気扇▲１▼の手前（外気側）に、熱交換装置▲８▼を設置することで熱交換効率の向上を図るものである。
【００１６】▲１▼    熱交換式換気扇
▲２▼    外気吸入口
▲３▼    暖気循環用分岐管
▲４▼    給気口
▲５▼    リターン用分岐管
▲６▼    循環ダクト
▲７▼    風量調整装置
▲８▼    フィルターボックス
▲９▼    熱交換装置
▲１０▼  排気口
▲１１▼  換気口
【図１】
0003196834.tif 000003
【図２】
0003196834.tif 000004
【図３】
0003196834.tif 000005
(57)【要約】      （修正有）【課題】手前に掻き取るような動作のみではなく、奥へ押し込むような動作によっても刈り取りが可能になり、且つ特に奥へ押し込むような動作に良好に対応して作業性を向上させることができる改良された鎌を提供する。【解決手段】柄２の先端に略三日月状の刃板１を設け、刃板の内湾側および外湾側にはそれぞれ切り刃が設け、切り刃は何れも鋸状の形状をなし、その鋸刃の向きは刃板の内湾側と外湾側で逆側になるように設け、且つ、その刃面は刃板の内湾側および外湾側に於いて刃面が略三日月状の刃板の逆面になるように設けた。【選択図】図１
0003196889.tif 000002
【実用新案登録請求の範囲】
【請求項１】
稲、麦などの刈り取りや雑草の除去などに用いられる改良された鎌であって、
柄の先端に略三日月状の刃板を設け、
該刃板の内湾側および外湾側にはそれぞれ切り刃が設けられてあり、
該切り刃は何れも鋸状の形状をなし、
その鋸刃の向きは刃板の内湾側と外湾側で逆側になるように設けられ、
且つ、その刃面は刃板の内湾側および外湾側に於いて刃面が略三日月状の刃板の逆面になるように設けられたことを特徴とする、
稲刈りや草刈りに用いる改良された鎌。
【請求項２】
該刃板が、柄の先端寄りの一部分と共に柄と着脱自在に構成してなることを特徴とする
請求項１記載の稲刈りや草刈りに用いる改良された鎌。
【請求項３】
該鋸刃は、刃板の内湾側は鋭角、刃板の外湾側は鈍角に構成してなることを特徴とする
請求項１記載の稲刈りや草刈りに用いる改良された鎌。
【考案の詳細な説明】
【技術分野】
【０００１】
本考案は、稲刈りや草刈りに用いる改良された鎌に関するものである。
【背景技術】
【０００２】
稲、麦などの刈り取りや雑草の除去などに鎌を用いるが、中腰の姿勢に加えて掻き取るような動作が必要であり、作業性に問題があった。
【０００３】
そこで、鎌を改良して手前に掻き取るような動作のみではなく、奥へ押し込むような動作によっても刈り取りが可能になるよう、鎌の両面に刃を設けたものなどが提案されている。（特許文献１）
【０００４】
しかし、従来の両刃鎌の刃面の設定では、奥へ押し込むような動作での刈り取りには抵抗が大きく、スムーズな作業が困難であった。
【先行技術文献】
【特許文献】
【０００５】
【特許文献１】特開２０１２ー２１９７０号公報
【考案の概要】
【考案が解決しようとする課題】
【０００６】
稲、麦などの刈り取りや雑草の除去などに鎌を用いるが、中腰の姿勢に加えて掻き取るような動作が必要であり、作業性に問題があった。また、両刃を用いるものも、奥へ押し込むような動作に良好に対応するものはなかった。
【課題を解決するための手段】
【０００７】
本考案は、柄の先端に略三日月状の刃板を設け、該刃板の内湾側および外湾側にはそれぞれ切り刃が設け、該切り刃は何れも鋸状の形状をなし、その鋸刃の向きは刃板の内湾側と外湾側で逆側になるように設け、且つ、その刃面は刃板の内湾側および外湾側に於いて刃面が略三日月状の刃板の逆面になるように設けたことを最も主要な特徴とする。
【考案の効果】
【０００８】
本考案の稲刈りや草刈りに用いる改良された鎌は、手前に掻き取るような動作のみではなく、奥へ押し込むような動作によっても刈り取りが可能になり、且つ特に奥へ押し込むような動作に良好に対応して作業性を向上させることができるという利点がある。
【図面の簡単な説明】
【０００９】
【図１】図１は本考案にかかる稲刈りや草刈りに用いる改良された鎌を示す図面代用写真である。
【図２】図２は本考案にかかる稲刈りや草刈りに用いる改良された鎌の、特に刃面の態様を示す図面代用写真である。
【考案を実施するための形態】
【００１０】
本考案の稲刈りや草刈りに用いる改良された鎌は、柄の先端に略三日月状の刃板を設け、該刃板の内湾側および外湾側にはそれぞれ切り刃が設け、該切り刃は何れも鋸状の形状をなし、その鋸刃の向きは刃板の内湾側と外湾側で逆側になるように設け、且つ、その刃面は刃板の内湾側および外湾側に於いて刃面が略三日月状の刃板の逆面になるように設けたことを最も主要な特徴とする。また、該刃板が、柄の先端寄りの一部分と共に柄と着脱自在に構成してなり、さらに該鋸刃は、刃板の内湾側は鋭角、刃板の外湾側は鈍角に構成してなる。
【００１１】
これにより、手前に掻き取るような動作のみではなく、奥へ押し込むような動作によっても刈り取りが可能になり、且つ特に奥へ押し込むような動作に良好に対応して作業性を向上させることができる稲刈りや草刈りに用いる改良された鎌が実現された。
【実施例１】
【００１２】
図１は、本考案にかかる稲刈りや草刈りに用いる改良された鎌を示す図面代用写真である。本考案の稲刈りや草刈りに用いる改良された鎌は、柄の先端に略三日月状の刃板を設け、該刃板の内湾側および外湾側にはそれぞれ切り刃が設け、該切り刃は何れも鋸状の形状をなし、その鋸刃の向きは刃板の内湾側と外湾側で逆側になるように設け、且つ、その刃面は刃板の内湾側および外湾側に於いて刃面が略三日月状の刃板の逆面になるように設けている。
【００１３】
本考案の形状とすることにより、手前に掻き取るような動作のみではなく、奥へ押し込むような動作によっても刈り取りが可能になり、且つ特に奥へ押し込むような動作の際にもスムースに稲などの草本の茎を捉え、少ない力で切断することが可能となり、作業性が著しく向上した。
【００１４】
図２は、本考案にかかる稲刈りや草刈りに用いる改良された鎌の、特に刃面の態様を示す図面代用写真である。本考案にかかる稲刈りや草刈りに用いる改良された鎌は、刃板の内湾側および外湾側の双方に設けた鋸刃の刃面が略三日月状の刃板の逆面になるようになっているため、従来の構成に比べて同一の平面内での押し引きの動作の何れもに於いて効率的に稲などの草本の茎を捉え、少ない力で切断することを可能とした。また、該刃板が、柄の先端寄りの一部分と共に柄と着脱自在に構成してなり、さらに該鋸刃は、刃板の内湾側は鋭角、刃板の外湾側は鈍角に構成したことで、さらにその効果は高まった。
【産業上の利用可能性】
【００１５】
本考案の稲刈りや草刈りに用いる改良された鎌は、手前に掻き取るような動作のみではなく、奥へ押し込むような動作によっても刈り取りが可能になり、且つ特に奥へ押し込むような動作に良好に対応して作業性を向上させることができ、農業の効率化に資し、以って産業の発展に寄与するものである。
【符号の説明】
【００１６】
１    略三日月状の刃板
２    柄
３    内湾側の切り刃
４    外湾側の切り刃
【図１】
0003196889.tif 000003
【図２】
0003196889.tif 000004